(57)【要約】【課題】偽像が検出されることを防止すること。【解決手段】車両に搭載され、パルス信号を送信して物標を検出するレーダ装置において、パルス信号を送信する送信手段（変調部１３）と、送信手段によるパルス信号の送信タイミングを調整する調整手段（制御・処理部１５）と、パルス信号の繰り返し周期を不等間隔に設定するスタガ方式に基づく送信タイミングを示すタイミング情報であって、送信タイミング同士が相互に重複しない複数のタイミング情報を格納する格納手段（制御・処理部１５）と、自車両に搭載されている他のレーダ装置と重複しないタイミング情報を選択し、調整手段に設定する設定手段（制御・処理部１５）と、を有することを特徴とする。【選択図】図３
2018119934.tif 000002
【特許請求の範囲】
【請求項１】
車両に搭載され、パルス信号を送信して物標を検出するレーダ装置において、
前記パルス信号を送信する送信手段と、
前記送信手段による前記パルス信号の送信タイミングを調整する調整手段と、
前記パルス信号の繰り返し周期を不等間隔に設定するスタガ方式に基づく送信タイミングを示すタイミング情報であって、送信タイミング同士が相互に重複しない複数の前記タイミング情報を格納する格納手段と、
自車両に搭載されている他のレーダ装置と重複しない前記タイミング情報を選択し、前記調整手段に設定する設定手段と、
を有することを特徴とするレーダ装置。
【請求項２】
前記格納手段に複数格納されている前記タイミング情報の１つは前記繰り返し周期であり、それ以外の前記タイミング情報は前記繰り返し周期を任意の時間ずらした非固定の前記繰り返し周期であることを特徴とする請求項１に記載のレーダ装置。
【請求項３】
前記他のレーダ装置との間で情報を授受するための通信手段を有し、
前記設定手段は、前記通信手段を介して授受された情報に基づいて、前記他のレーダ装置と重複しない前記タイミング情報を前記格納手段から選択して前記調整手段に設定する、
ことを特徴とする請求項１または２に記載のレーダ装置。
【請求項４】
操作者の操作に応じた情報を入力する入力手段を有し、
前記設定手段は、前記入力手段から入力された情報に対応する前記タイミング情報を前記格納手段から取得して前記調整手段に設定する、
ことを特徴とする請求項１または２に記載のレーダ装置。
【請求項５】
車両に搭載され、パルス信号を送信して物標を検出するレーダ装置の制御方法において、
前記パルス信号を送信する送信ステップと、
前記送信ステップにおける前記パルス信号の送信タイミングを調整する調整ステップと、
前記パルス信号の繰り返し周期を不等間隔に設定するスタガ方式に基づく送信タイミングを示すタイミング情報であって、送信タイミング同士が相互に重複しない複数の前記タイミング情報を記憶媒体に格納する格納ステップと、
自車両に搭載されている他のレーダ装置と重複しない前記タイミング情報を選択し、前記調整ステップに設定する設定ステップと、
を有することを特徴とするレーダ装置の制御方法。
【請求項６】
車両に搭載され、パルス信号を送信して物標を検出するレーダ装置を複数有するレーダシステムにおいて、
各レーダ装置は、
前記パルス信号を送信する送信手段と、
前記送信手段による前記パルス信号の送信タイミングを調整する調整手段と、
前記パルス信号の繰り返し周期を不等間隔に設定するスタガ方式に基づく送信タイミングを示すタイミング情報であって、送信タイミング同士が相互に重複しない複数の前記タイミング情報を格納する格納手段と、
自車両に搭載されている他のレーダ装置と重複しない前記タイミング情報を選択し、前記調整手段に設定する設定手段と、を有する、
ことを特徴とするレーダシステム。
【発明の詳細な説明】
【技術分野】
【０００１】
本発明は、レーダ装置、レーダ装置の制御方法、および、レーダシステムに関するものである。
【背景技術】
【０００２】
特許文献１には、隣接した複数のビームを形成するアンテナと、それぞれのアンテナへのレーダ信号の送信手段と、それぞれのアンテナからのレーダ信号の受信手段と、送受切換器と、受信手段出力の振幅値がしきい値を越える信号の振幅値とその信号の受信時刻から車間距離を求める強度距離計測手段と、隣接するビームでの信号の利得を調整する利得調整手段と、距離ごとに利得調整手段出力から隣接するビームでの信号の強度を比較し２輪車か４輪車かを判定する車両判定手段と、車両判定手段出力を表示する表示器と、を備えたことを特徴とするレーダシステムが開示されている。
【先行技術文献】
【特許文献】
【０００３】
【特許文献１】特開平６−１６２３９７号公報
【発明の概要】
【発明が解決しようとする課題】
【０００４】
ところで、特許文献１に示す技術では、複数のアンテナから電波を送信することから、アンテナから送信された電波同士が干渉し、場合によっては偽像が検出されるという問題点がある。
【０００５】
本発明は、以上のような状況に鑑みてなされたものであり、偽像が検出されることを防止できるレーダ装置、レーダ装置の制御方法、および、レーダシステムを提供することを目的としている。
【課題を解決するための手段】
【０００６】
上記課題を解決するために、本発明は、車両に搭載され、パルス信号を送信して物標を検出するレーダ装置において、前記パルス信号を送信する送信手段と、前記送信手段による前記パルス信号の送信タイミングを調整する調整手段と、前記パルス信号の繰り返し周期を不等間隔に設定するスタガ方式に基づく送信タイミングを示すタイミング情報であって、送信タイミング同士が相互に重複しない複数の前記タイミング情報を格納する格納手段と、自車両に搭載されている他のレーダ装置と重複しない前記タイミング情報を選択し、前記調整手段に設定する設定手段と、を有することを特徴とする。
このような構成によれば、偽像が検出されることを防止できる。
【０００７】
また、本発明は、前記格納手段に複数格納されている前記タイミング情報の１つは前記繰り返し周期であり、それ以外の前記タイミング情報は前記繰り返し周期を任意の時間ずらした非固定の前記繰り返し周期であることを特徴とする。
このような構成によれば、タイミング情報を簡単に生成することができる。
【０００８】
また、本発明は、前記他のレーダ装置との間で情報を授受するための通信手段を有し、前記設定手段は、前記通信手段を介して授受された情報に基づいて、前記他のレーダ装置と重複しない前記タイミング情報を前記格納手段から選択して前記調整手段に設定する、ことを特徴とする。
このような構成によれば、レーダ装置同士が通信によって適切なタイミング情報を自動的に設定することができる。
【０００９】
また、本発明は、操作者の操作に応じた情報を入力する入力手段を有し、前記設定手段は、前記入力手段から入力された情報に対応する前記タイミング情報を前記格納手段から取得して前記調整手段に設定する、ことを特徴とする。
このような構成によれば、操作者の操作に応じた適切なタイミング情報を設定することができる。
【００１０】
また、本発明は、車両に搭載され、パルス信号を送信して物標を検出するレーダ装置の制御方法において、前記パルス信号を送信する送信ステップと、前記送信ステップにおける前記パルス信号の送信タイミングを調整する調整ステップと、前記パルス信号の繰り返し周期を不等間隔に設定するスタガ方式に基づく送信タイミングを示すタイミング情報であって、送信タイミング同士が相互に重複しない複数の前記タイミング情報を記憶媒体に格納する格納ステップと、自車両に搭載されている他のレーダ装置と重複しない前記タイミング情報を選択し、前記調整ステップに設定する設定ステップと、を有することを特徴とする。
このような方法によれば、偽像が検出されることを防止できる。
【００１１】
また、本発明は、車両に搭載され、パルス信号を送信して物標を検出するレーダ装置を複数有するレーダシステムにおいて、各レーダ装置は、前記パルス信号を送信する送信手段と、前記送信手段による前記パルス信号の送信タイミングを調整する調整手段と、前記パルス信号の繰り返し周期を不等間隔に設定するスタガ方式に基づく送信タイミングを示すタイミング情報であって、送信タイミング同士が相互に重複しない複数の前記タイミング情報を格納する格納手段と、自車両に搭載されている他のレーダ装置と重複しない前記タイミング情報を選択し、前記調整手段に設定する設定手段と、を有する、ことを特徴とする。
このような構成によれば、偽像が検出されることを防止できる。
【発明の効果】
【００１２】
本発明によれば、偽像が検出されることを防止できるレーダ装置、レーダ装置の制御方法、および、レーダシステムを提供することが可能となる。
【図面の簡単な説明】
【００１３】
【図１】本発明の実施形態に係るレーダシステムの実装例を示す図である。
【図２】本発明の実施形態に係るレーダシステムの構成例を示す図である。
【図３】図２に示すレーダ装置の詳細な構成例を示すブロック図である。
【図４】図３に示す制御・処理部の詳細な構成例を示すブロック図である。
【図５】従来例の動作を説明するための図である。
【図６】図１に示す実施形態の動作を説明するための図である。
【図７】図１に示す実施形態の動作を説明するための図である。
【図８】図７に示す繰り返し周期の詳細を説明するための図である。
【図９】図１に示す実施形態の動作を説明するためのフローチャートである。
【発明を実施するための形態】
【００１４】
次に、本発明の実施形態について説明する。
【００１５】
（Ａ）実施形態の構成の説明
図１は、本発明の実施形態に係るレーダシステムの実装例を示す図である。この図に示すように、本発明の実施形態に係るレーダシステムを構成するレーダ装置１０−１，１０−２は、車両Ｃの後部の左右にそれぞれ配置されている。これらのレーダ装置１０−１，１０−２は、車両Ｃの後方に検出領域を有し、検出領域に検出物標としての物標（例えば、他の車両、自転車、人等）が存在し、かつ、物標が自車両に接触または衝突する可能性がある場合には、警報を発する。
【００１６】
図２は、レーダシステムの構成例を示す図である。本実施形態に係るレーダシステムは、ＥＣＵ（Electric Control Unit）３０、レーダ装置１０−１，１０−２を有し、これらＥＣＵ３０およびレーダ装置１０−１，１０−２が通信線４１，４２によって接続されて構成される。なお、図２では、ＥＣＵ３０を例に挙げているが、ネットワークにおける自己のＩＤ（Identification）を認識でき、かつ、通信線４１，４２を介して他の装置を制御できる機能を有する装置であれば、ＥＣＵ以外の装置を用いるようにしてもよい。
【００１７】
ここで、ＥＣＵ３０は、車両の各部を制御するとともに、レーダ装置１０−１，１０−２から通信線４１，４２を介して供給される情報に基づいて物標を検出し、必要に応じて警告等を行う。
【００１８】
レーダ装置１０−１，１０−２は、検出対象である物標に対してパルス信号を照射し、反射信号に基づいて物標を検出し、通信線４１，４２を介してＥＣＵ３０に伝える。また、レーダ装置１０−１，１０−２は、通信線４１，４２によって接続され、一方がマスタとして動作し、他方がスレーブとして動作する。
【００１９】
図３は、図２に示すレーダ装置１０−１，１０−２の構成例を示す図である。なお、レーダ装置１０−１，１０−２は同様の構成とされているので、以下では、これらをレーダ装置１０として説明する。
【００２０】
図３に示すように、レーダ装置１０は、局部発振部１１、送信部１２、制御・処理部１５、受信部１６、および、Ａ／Ｄ（Analog to Digital）変換部２１を主要な構成要素としている。
【００２１】
ここで、局部発振部１１は、所定の周波数のＣＷ（Continuous Wave）信号を生成して、送信部１２と受信部１６に供給する。
【００２２】
送信部１２は、変調部１３および送信アンテナ１４を有し、局部発振部１１から供給されるＣＷ信号を、変調部１３によってパルス変調し、送信アンテナ１４を介して物標に対して送信する。
【００２３】
送信部１２の変調部１３は、制御・処理部１５によって制御され、局部発振部１１から供給されるＣＷ信号をパルス変調してパルス信号を生成して出力する。送信アンテナ１４は、変調部１３から供給されるパルス信号を、物標に向けて送信する。
【００２４】
制御・処理部１５は、変調部１３、利得可変増幅部１９、および、アンテナ切換部１８を制御するとともに、Ａ／Ｄ変換部２１から供給される受信データに対して演算処理を実行することで、物標を検出する。
【００２５】
図４は、図３に示す制御・処理部１５の詳細な構成例を示すブロック図である。図４に示すように、制御・処理部１５は、制御部１５ａ、処理部１５ｂ、通信部１５ｃ、および、設定部１５ｄを有している。ここで、制御部１５ａは、例えば、ＣＰＵ（Central Processing Unit）、ＲＯＭ（Read Only Memory）、ＲＡＭ（Random Access Memory）等によって構成され、ＲＯＭおよびＲＡＭに記憶されているデータに基づいて装置の各部を制御する。処理部１５ｂは、例えば、ＤＳＰ（Digital Signal Processor）等によって構成され、Ａ／Ｄ変換部２１から供給されるデジタル信号に対する処理を実行し、物標を検出する。通信部１５ｃは、通信線４１，４２を介して他のレーダ装置との間で情報を授受する。設定部１５ｄは、後述するようにパルス信号の繰り返し周期を設定する。
【００２６】
図３に戻る。受信部１６は、受信アンテナ１７、アンテナ切換部１８、利得可変増幅部１９、および、復調部２０を有し、送信アンテナ１４から送信され、物標によって反射された信号を受信して復調処理を施した後、Ａ／Ｄ変換部２１に出力する。
【００２７】
受信部１６の受信アンテナ１７は、複数のアンテナ（例えば、４つのアンテナ）によって構成され、送信アンテナ１４から送信され、物標によって反射された信号を受信し、アンテナ切換部１８に供給する。アンテナ切換部１８は、制御・処理部１５の制御部１５ａによって制御され、受信アンテナ１７のいずれか１つを選択して、受信信号を利得可変増幅部１９に供給する。利得可変増幅部１９は、制御・処理部１５の制御部１５ａによって利得が制御され、アンテナ切換部１８から供給される受信信号を所定の利得で増幅して復調部２０に出力する。復調部２０は、利得可変増幅部１９から供給される受信信号を、局部発振部１１から供給されるＣＷ信号を用いて復調して出力する。
【００２８】
Ａ／Ｄ変換部２１は、復調部２０から供給される受信信号を所定の周期でサンプリングし、デジタル信号に変換して制御・処理部１５に供給する。
【００２９】
（Ｂ）実施形態の動作の説明
つぎに、本発明の実施形態の動作を説明する。本発明の実施形態では、車両のエンジンが始動されるたびに以下の動作が実行され、レーダ装置１０−１，１０−２が干渉しないように設定される。
【００３０】
すなわち、本実施形態では、エンジンを始動するためにイグニッションキーをオンの状態にすると、図２に示すＥＣＵ３０およびレーダ装置１０−１，１０−２に対して電源電力の供給が開始される。
【００３１】
電源電力の供給が開始されると、レーダ装置１０−１の制御部１５ａは、例えば、車両から特定の信号を受け取ることで自身がマスタであると認識する。そして、レーダ装置１０−１の設定部１５ｄは、マスタ用のタイミング情報を、図示しない格納部（例えば、半導体メモリ）から取得し、制御部１５ａに設定する。制御部１５ａは、設定部１５ｄによって設定されたマスタ用のタイミング情報に基づいて、変調部１３を制御し、パルス信号を送信する。
【００３２】
一方、レーダ装置１０−２の制御部１５ａは、例えば、車両から特定の信号を受け取らないことから、自身はスレーブであると認識する。そして、レーダ装置１０−２の設定部１５ｄは、スレーブ用のタイミング情報を、図示しない格納部から取得し、制御部１５ａに設定する。制御部１５ａは、設定部１５ｄによって設定されたスレーブ用のタイミング情報に基づいて、変調部１３を制御し、パルス信号を送信する。
【００３３】
ここで、レーダ装置１０−１およびレーダ装置１０−２から送信されるパルス信号は、スタガ方式に基づいて送信タイミングが不等間隔に異なるように設定される。
【００３４】
図５は、レーダ装置１０−１，１０−２がスタガ方式を用いないで、固定の繰り返し周期でパルス信号を送信した場合の信号の状態を示す図である。より詳細には、図５（Ａ）は、スタガ方式を用いない場合に、レーダ装置１０−１から送信されるパルス信号を示し、図５（Ｂ）は同じ場合にレーダ装置１０−２から送信されるパルス信号を示している。なお、図５（Ａ），（Ｂ）において横軸は時間を示し、縦軸は信号強度を示している。
【００３５】
図５（Ａ）に示すように、レーダ装置１０−１から送信されるパルス信号は、固定の繰り返し周期で送信される。また、図５（Ｂ）に示すように、レーダ装置１０−２から送信されるパルス信号は、レーダ装置１０−１よりも任意の時間τだけ遅れて送信され、レーダ装置１０−１と同じ固定の繰り返し周期で送信される。
【００３６】
図５（Ｃ）は、レーダ装置１０−１において受信される信号を積算した結果を示している。レーダ装置１０−１が送信するパルス信号は、図５（Ａ）に示すように固定の繰り返し周期であるので、例えば、物標によって反射された受信信号を積算すると、これらの信号が累積加算された信号（図５（Ｃ）の左側の信号）を得る。ところで、レーダ装置１０−１は、自身が送信したパルス信号だけでなく、レーダ装置１０−２が送信し、物標によって反射された信号を受信するとともに、レーダ装置１０−２が送信した信号も直接受信する。レーダ装置１０−２が送信するパルス信号は、図５（Ｂ）に示すように固定の繰り返し周期を有しているので、図５（Ｃ）に示すように、時間τだけ送れた位置に、干渉信号（図５（Ｃ）の右側の信号）が現れる。このため、レーダ装置１０−１は、干渉信号を物標として誤検出してしまうことから、これが偽像となる。
【００３７】
図６は、レーダ装置１０−１，１０−２がスタガ方式を用いてパルス信号を送信した場合の信号の状態を示す図である。より詳細には、図６（Ａ）は、スタガ方式を用いた場合に、レーダ装置１０−１から送信されるパルス信号を示し、図６（Ｂ）は同じ場合にレーダ装置１０−２から送信されるパルス信号を示している。なお、図６（Ａ），（Ｂ）において横軸は時間を示し、縦軸は信号強度を示している。
【００３８】
図６（Ａ）に示すように、レーダ装置１０−１から送信されるパルス信号は、図５（Ａ）と同様に、固定の繰り返し周期で送信される。一方、図６（Ｂ）に示すように、レーダ装置１０−２から送信されるパルス信号は、レーダ装置１０−１よりも任意の時間τだけ遅れて送信されるが、破線で示す固定の繰り返し周期のタイミングに比較すると、パルス毎に送信のタイミングがずれを有している。
【００３９】
図６（Ｃ）は、レーダ装置１０−１において受信される信号を積算した結果を示している。レーダ装置１０−１が送信するパルス信号は、図６（Ａ）に示すように固定の繰り返し周期であるので、例えば、物標によって反射された受信信号を積算すると、これらの信号が累積加算された信号（図６（Ｃ）の左側の信号）を得る。前述のように、レーダ装置１０−１は、自身が送信したパルス信号だけでなく、レーダ装置１０−２が送信し、物標によって反射された信号も受信するとともに、レーダ装置１０−２が送信した信号も直接受信する。レーダ装置１０−２が送信するパルス信号は、図６（Ｂ）に示すように非固定の繰り返し周期を有しているので、これらの信号を累積すると、図６（Ｃ）に示すように、干渉信号は平均化されて、図５（Ｃ）よりもピークが低い干渉信号（図６（Ｃ）の右側の信号）となる。このため、レーダ装置１０−１は、干渉信号を物標として誤検出することを防止できる。
【００４０】
図７は、より詳細な繰り返し周期の設定例を示している。図７においてＲｘ１〜Ｒｘ４は、図３に示す受信アンテナ１７が４つである場合に、４つのそれぞれのアンテナを示している。この図７に示すように、本実施形態では、４つのアンテナのそれぞれにおけるパルス送信間隔が一致しないように、レーダ装置１０−１およびレーダ装置１０−２の繰り返し周期およびスタガ方式に基づく設定を行っている。
【００４１】
以上の動作により、レーダ装置１０−１，１０−２が起動されるたびに、マスタ用およびスレーブ用の異なるタイミング情報を設定する。これにより、レーダ装置１０−１およびレーダ装置１０−２から送信されるパルス信号は、スタガ方式に基づいて送信タイミングが不等間隔に異なるように設定されることから、一方のレーダ装置が他方のレーダ装置から送信されるパルス信号を干渉信号として検出することによる誤検出を防止できる。
【００４２】
つぎに、図８を参照して、本発明の実施形態において実行される処理の一例について説明する。なお、図８に示す処理は、例えば、レーダ装置１０−１，１０−２に電源が供給されて起動された際に実行される。図８に示すフローチャートの処理が開始されると、以下のステップが実行される。
【００４３】
ステップＳ１０では、制御・処理部１５の制御部１５ａは、通信部１５ｃを制御して、接続状態を検出させる。
【００４４】
ステップＳ１１では、制御部１５ａは、ステップＳ１０における検出結果により、自身がＥＣＵ３０に直接接続されているか否かを判定し、直接接続されていると判定した場合（ステップＳ１１：Ｙ）にはステップＳ１２に進み、それ以外の場合（ステップＳ１１：Ｎ）にはステップＳ１４に進む。例えば、図２に示すレーダ装置１０−１の場合には、ＥＣＵ３０に直接接続されているのでＹと判定してステップＳ１２に進み、レーダ装置１０−２の場合には、ＥＣＵ３０に直接接続されていないのでＮと判定してステップＳ１４に進む。
【００４５】
ステップＳ１２では、設定部１５ｄは、図示しない格納部からタイミング情報の第１パターンを読み出す。なお、第１パターンとしては、図６（Ａ）に示す固定の繰り返し周期のパターンを用いることができる。すなわち、第１パターンとしては、図６（Ａ）に示す固定の繰り返し周期のそれぞれの送信タイミングを示す情報を用いることができる。
【００４６】
ステップＳ１３では、設定部１５ｄは、ステップＳ１２で読み出した第１パターンを繰り返し周期として制御部１５ａに供給する。この結果、制御部１５ａは、第１パターンを繰り返し周期として設定し制御を行う。
【００４７】
ステップＳ１４では、設定部１５ｄは、図示しない格納部からタイミング情報の第２パターンを読み出す。なお、第２パターンとしては、図６（Ｂ）に示すスタガを有する繰り返し周期のパターンを用いることができる。すなわち、第２パターンとしては、図６（Ｂ）に示すスタガを有する繰り返し周期のそれぞれの送信タイミングを示す情報を用いることができる。なお、固定周期からのずれを示す情報を第２パターンとしてもよい。
【００４８】
ステップＳ１５では、設定部１５ｄは、ステップＳ１４で読み出した第２パターンを繰り返し周期として制御部１５ａに供給する。この結果、制御部１５ａは、第２パターンを繰り返し周期として設定し制御を行う。
【００４９】
ステップＳ１６では、制御部１５ａは、ステップＳ１３またはステップＳ１５において設定された繰り返し周期で動作を開始する。
【００５０】
ステップＳ１７では、制御部１５ａは、物標を検出する処理を実行する。
【００５１】
より詳細には、局部発振部１１から供給される信号は、変調部１３において、設定された繰り返し周期に基づくパルス信号に変換され、送信アンテナ１４を介して送信される。物標によって反射されさたパルス信号は、受信アンテナ１７によって受信される。なお、受信アンテナ１７は、例えば、４つのアンテナによって構成され、アンテナ切換部１８は、図７に示すＲｘ１〜Ｒｘ４の信号を切り換えて入力し、利得可変増幅部１９に供給する。利得可変増幅部１９は、アンテナ切換部１８から供給される信号を増幅し、復調部２０に供給する。復調部２０は、利得可変増幅部１９から供給される信号を局部発振部１１から供給されるＣＷ信号を用いて復調し、Ａ／Ｄ変換部２１に供給する。制御・処理部１５の処理部１５ｂは、Ａ／Ｄ変換部２１から供給されるデジタル信号に対する処理を実行し、物標を検出する。
【００５２】
ステップＳ１８では、制御部１５ａは、処理を終了するか否かを判定し、終了しないと判定した場合（ステップＳ１８：Ｎ）にはステップＳ１７に戻って処理を繰り返し、それ以外の場合（ステップＳ１８：Ｙ）には処理を終了する。
【００５３】
以上の処理によれば、前述した実施形態の動作を実現することができる。
【００５４】
（Ｃ）変形実施形態の説明
以上の実施形態は一例であって、本発明が上述したような場合のみに限定されるものでないことはいうまでもない。例えば、以上の実施形態では、レーダ装置１０−１，１０−２がマスタかスレーブかによって、第１パターンおよび第２パターンを選択するようにしたが、例えば、マスタ／スレーブとは無関係に第１パターンおよび第２パターンを選択するようにしてもよい。例えば、最初に起動した方が第１パターンを選択し、つぎに起動した方が第２パターンを選択するようにしてもよい。
【００５５】
また、以上の実施形態では、車両Ｃの後部に配置されたレーダ装置１０−１，１０−２の２台を用いる場合を例に挙げて説明したが、例えば、３台以上のレーダ装置を接続するようにしてもよい。その場合には、レーダ装置の台数に対応する第１〜第ｎパターンの情報を準備しておき、ネットワークを介して相互に重複しないように選択することで、それぞれのレーダ装置が異なる繰り返し周期でパルス信号を送信することができる。
【００５６】
また、以上の実施形態では、レーダ装置１０−１，１０−２が起動されるたびに通信を行ってパターンを選択するようにしたが、例えば、車両の組み立て工程において、レーダ装置１０−１，１０−２を車両に搭載する際にパターンを選択し、その後は同じパターンを継続して使用するようにしてもよい。
【００５７】
また、以上の実施形態では、ネットワークを介して通信によってパターンを選択するようにしたが、レーダ装置１０−１，１０−２にディップスイッチを備え、例えば、車両の組み立て工程において、レーダ装置１０−１，１０−２が異なる設定になるように操作者がディップスイッチを操作し、ディップスイッチの設定に対応するパターンを選択するようにしてもよい。
【００５８】
また、以上の実施形態では、図６に示すように、４つのパルス信号を積算するようにしたが、例えば、図９に示すように、１６のパルス信号を積算するようにしてもよい。すなわち、図７に示すように、基本周期を同一にしている場合、各アンテナにおける積算値は、干渉源と同期してしまう。このため、レーダ性能に影響を与えないレンジまで周期を拡張すると、同期による干渉をより確実に抑えることができる。
【００５９】
また、図８に示すフローチャートの処理は一例であって、本発明がこれらフローチャートの処理に限定されるものではないことはいうまでもない。
【符号の説明】
【００６０】
１０−１，１０−２  レーダ装置
１１  局部発振部
１２  送信部
１３  変調部（調整手段）
１４  送信アンテナ（送信手段）
１５  制御・処理部
１５ａ  制御部
１５ｂ  処理部
１５ｃ  通信部（通信手段）
１５ｄ  設定部（格納手段、設定手段）
１６  受信部
１７  受信アンテナ
１８  アンテナ切換部
１９  利得可変増幅部
２０  復調部
２１  Ａ／Ｄ変換部
３０  ＥＣＵ
４１，４２  通信線
【図１】
2018119934.tif 000003
【図２】
2018119934.tif 000004
【図３】
2018119934.tif 000005
【図４】
2018119934.tif 000006
【図５】
2018119934.tif 000007
【図６】
2018119934.tif 000008
【図７】
2018119934.tif 000009
【図８】
2018119934.tif 000010
【図９】
2018119934.tif 000011